(57)【特許請求の範囲】
【請求項１】
遊技機の前面に装着され遊技用の球やコイン等を貯留する受皿と、前記受皿に設けられた有底の灰皿収容凹部と、前記灰皿収容凹部に収容可能な煙草の灰等を受け入れる窪部を有する灰皿と、を備えた遊技機において、
遊技機内部に前記灰皿収納凹部の前記灰皿が移動可能な灰皿収容空間を設け、
前記灰皿が前記灰皿収容凹部に収容されているときは、前記灰皿の窪部が遊技機前面に露出し、前記灰皿が前記灰皿収容空間に移動したときは、前記灰皿の窪部が遊技機内部に隠れると共に前記灰皿収容凹部の底壁部上面が露出するようにしたことを特徴とする遊技機。
【請求項２】
機枠の前面に開閉自在に取着された前面枠と、前記前面枠の前面に装着され遊技用の球やコイン等を貯留する受皿と、前記受皿に設けられた有底の灰皿収容凹部と、前記灰皿収容凹部に収容可能な煙草の灰等を受け入れる窪部を有する灰皿と、を備えた遊技機において、
前記灰皿収納凹部は、左右の側壁部と底壁部とにより前面側が開放した凹部として形成されていると共に、後端面を開口して前記前面枠の裏側に連通させて前記灰皿を収容できる大きさの収容空間としての収容箱を設け、
前記灰皿の両側には各々ピンを設けると共に、前記灰皿収容凹部の左右の側壁部には前記灰皿のピンが摺動自在に嵌合される横長のガイド溝を設け、
前記灰皿が前記灰皿収容凹部と前記収容箱とを移動可能にしたことを特徴とする遊技機。
【請求項３】
機枠の前面に開閉自在に取着された前面枠と、前記前面枠の前面に装着され遊技用の球やコイン等を貯留する受皿と、前記受皿に設けられた有底の灰皿収容凹部と、前記灰皿収容凹部に収容可能な煙草の灰等を受け入れる窪部を有する灰皿と、を備えた遊技機において、
前記灰皿収納凹部は、一側壁部と後側壁部と底壁部とにより前面側が開放した凹部として形成されていると共に、該凹部の他側面に前記灰皿が通過しうる大きさの通口を形成して前記受皿内に前記灰皿を収容できる収容空間を設け、
前記灰皿の前側両側部分には各々円形状の支軸部を設け、前記灰皿収容凹部の一側壁部に前記灰皿の一方の支軸部を嵌入させる軸受部を設け、前記通口の前端縁部を前記支軸部の円弧面と同一形状にして前記灰皿の他方の支軸部が当接するようにし、
前記灰皿が前記灰皿収容凹部と前記収容箱とを移動可能にしたことを特徴とする遊技機。
【請求項４】
機枠の前面に開閉自在に取着された前面枠と、前記前面枠の前面に装着され遊技用の球やコイン等を貯留する受皿と、前記受皿に設けられた有底の灰皿収容凹部と、前記灰皿収容凹部に収容可能な煙草の灰等を受け入れる窪部を有する灰皿と、を備えた遊技機において、
前記灰皿収納凹部は、一側壁部と後側壁部と底壁部とにより前面側が開放した凹部として形成されていると共に、該凹部の他側面に前記灰皿が通過しうる大きさの通口を形成して前記受皿内に前記灰皿を収容できる収容空間を設け、
前記灰皿の一側後端縁の上下位置に回動軸を設け、前記通口の後端縁に前記灰皿の回動軸が嵌入する軸孔を設け、
前記灰皿が前記灰皿収容凹部と前記収容箱とを水平面内で回転移動可能にしたことを特徴とする遊技機。
【請求項５】
前記灰皿収納凹部の底壁部と前記収容空間との境界部分に前記灰皿の壁部に係合するストッパー片を設けたことを特徴とする請求項１乃至４記載の遊技機。
【請求項６】
前記底壁部上面には、飲料用容器が嵌入可能な窪部が形成されていることを特徴とする請求項１乃至５記載の遊技機。
【発明の詳細な説明】
【０００１】
【発明の属する技術分野】
本発明は、遊技機の前面に喫煙者のための灰皿を設けた遊技機に関するものである。
【０００２】
【従来の技術】
従来、遊技機の一種であるパチンコ遊技機の前面には打球供給皿とその下方に位置し該打球供給皿からの余剰球を貯留するための受皿とが装着され、該受皿にはその一側に灰皿収容凹部が設けられると共に該灰皿収容凹部に喫煙する遊技者のための灰皿が収容されている。
【０００３】
ところで、近時、煙草の害が叫ばれる中、遊技者にも禁煙者，嫌煙者が増加している。これに対し、一般のパチンコホールの島台に設置される各パチンコ遊技機には、灰皿が常時使用可能な状態で設けられているので、例えば喫煙者と禁煙者が隣り合わせになると、煙草の煙りが禁煙者の鼻を付き禁煙者は不快感を味わい心地良く遊技を楽しむことができなくなり、これがパチンコホールのサービス面においてマイナスの要因になるという憂慮すべき事態が生じていた。そこで、パチンコ遊技機の設置島に禁煙コーナーを設けたり、または全館禁煙にし、喫煙者のためには特別に喫煙場所を設けるようにしたパチンコホールが出現している。
【０００４】
ところが、前記パチンコホールにあっては、禁煙コーナーなど禁煙者のためのパチンコ遊技機に本来不要な灰皿が設けられていることになるので、ともすると禁煙者が間違って煙草を吸いながら遊技をするおそれが有り、できれば灰皿を無くし、更にその空いたスペースを有効利用した受皿を製造するようにしても良いが、灰皿の有・無という２種類の受皿を別々に製造することは金型費が嵩むばかりか、製品管理も繁雑になるという課題が残る。
【０００５】
これら事情を考慮して、例えば特開平８−１３１６３５号公報に開示される如く、パチンコ遊技機に備えられた灰皿を使用可能状態と使用不能状態とに簡単に変換できるパチンコ遊技機が発明されている。該パチンコ遊技機は、その前面の上下部に打球発射部へパチンコ球を供給するための打球供給皿と該打球供給皿から溢れたパチンコ球を貯留する受皿とが装着されている。そして、受皿の一側に灰皿収容凹部が設けられると共に該灰皿収容凹部に灰皿が収容されている。
【０００６】
更に、詳しくは前記灰皿は左右両側で軸支され前方へ回動自在に設けられており、煙草の灰を受ける灰受け凹部が上向きに開放した灰皿使用可能状態と灰受け凹部が下向きに開放した灰皿使用不能状態とが共に保持固定できるようになっている。また、灰皿の底部裏面には飲料用の紙コップを載置可能な容器受け凹部が設けられ、灰皿を回動させて灰皿使用不能状態に変換させたときは、付加価値を付けるため紙コップなど飲料用容器を置けるようになっている。
【０００７】
【発明が解決しようとする課題】
しかしながら、前記パチンコ遊技機では、灰皿を回動して灰受け凹部が下向きに開放した灰皿使用不能状態に変換し、その底面の容器受け凹部に飲料用容器を置く場合、灰皿両側の軸支部がほぼ中間高さ位置に有り、しかも底面が受皿の上面と面一となるため容器受け凹部とその上方に装着される打球供給皿間のスペースが狭くなり、丈の高い飲料用容器であるとその上縁が打球供給皿に当り容器受け凹部に載せることができなくなったり、仮にできたとしても載せずらく、また打球供給皿に上縁が接近すると遊技者に不快感を与えるおそれが有る。しかも、容器受け凹部の上面に載せられた飲料用容器は周囲を何ら支持されないので、遊技に夢中になる余り不用意に飲料用容器に触れて転倒させ中身を零してしまうといったおそれも有る。
【０００８】
このため、打球供給皿の一側、すなわち容器受け凹部の上方部位に相当する部分を飲料用容器が当らないように狭めることも考えられるが、このようにすると打球供給皿のパチンコ球貯留部の容積が減少し、これに伴い貯留されるパチンコ球数も減少することとなり遊技上好ましくないばかりか、打球供給用の外観形状に制約が加えられることとなり、遊技者の目を引くような漸新で自由なデザイン設計が行なえなくなる。そこで、他の手段として灰皿両側の軸支部を下部に位置させ、灰皿を回動させたときその底面が受皿上面より下方に位置させることも考えられるが、その分受皿より灰皿が下方へ突出することとなる。この状態では、例えば受皿に貯留されるパチンコ球を球抜きするための球箱を配置する際、該球箱が灰皿に当り所望の位置に配置できないおそれが生ずる。
【０００９】
更に加えれば、灰皿は受皿の灰皿収容凹部内に回動自在に収容されるので、灰皿を回動して灰皿使用不能状態とした場合、受皿全体の見栄えが損なわれないようにするため灰皿の底面と受皿上面とを面一とし、しかも灰皿と灰皿収容凹部との間に余分な隙間が生じないようにする必要が有ることから、必然的に受皿の外観形状に制約が加えられ、前記と同様受皿の自由なデザイン設計が行なえなくなる。
【００１０】
仮に、灰皿と受皿とを分離したとしても、前記飲料用容器を載せたときの課題、打球供給皿のデザイン上の課題などは解決されず、しかも灰皿のデザイン上の課題も残ることとなる。
【００１１】
そこで、本発明はこれら多くの課題を解決すべくなされたもので、灰皿使用可能状態と灰皿使用不能状態とに自在に変換できるばかりか、灰皿を灰皿収容凹部から移動させることにより、該灰皿収容凹部の底部上面を飲料用容器等を載せる載置台として利用できるようにし、しかも不用意に転倒して中身を零すおそれもなく、更に、打球供給皿、受皿の自由なデザイン設計も行なえるようにした遊技機を提供することを目的とするものである。
【００１２】
【課題を解決するための手段】
かかる目的を達成するため、本発明の遊技機は、遊技機の前面に遊技用の球やコイン等を貯留する受皿を装着し、該受皿に有底の灰皿収容凹部を設ける。該灰皿収容凹部には、保持されてその窪部へ煙草の灰等を受け入れ得る灰皿使用可能状態と前記灰皿収容凹部から移動して前記窪部へ煙草の灰等を受け入れない灰皿使用不能状態とに変換可能な灰皿を収容する。前記移動態様としては灰皿収容凹部の後方への摺動，側方への摺動更には後部一側縁を中心として水平面内での回動が有る。そして、前記灰皿を前記灰皿収容凹部から移動させ煙草の灰等を受け入れない灰皿使用不能状態としたとき、前記灰皿収容凹部の底壁部上面を飲料用容器を載せる載置台として使用できるようにする。
【００１３】
そこで、灰皿を灰皿収容凹部に保持すれば、従来同様に灰皿として使用でき、また灰皿を移動させれば底部が露出し、該底部上面を飲料用容器が載せられる載置台として使用できるようになる。このように、灰皿を灰皿収容凹部に保持または移動させるのみで灰皿使用可能状態と使用不能状態とに変換できるようにしたので、灰皿を移動させて灰皿使用不能状態とした場合、底部が受皿の上面より下方に位置することとなり、これにより打球供給皿との間には充分なスペースが確保でき、しかも底部の周囲３方向は灰皿収容凹部に囲われるので、底部上面に飲料用容器が置き易く不潔感もなく、不用意に触れても灰皿収容凹部に保持され転倒しにくくなる。
【００１４】
また、灰皿収容凹部の底壁部上面に飲料用容器を載せても打球供給皿に当るようなことがないので、打球供給皿の自由なデザイン設計ができ、更に受皿のデザイン設計も同様に行なえることとなる。
【００１５】
【発明の実施の形態】
以下、本発明に係る遊技機の実施の形態を図面に基づき説明する。なお、遊技機としてはパチンコ遊技機，アレンジボール遊技機，スロットルマシン等が有るが、本発明ではその一例としてパチンコ遊技機について説明する。図１はパチンコ遊技機の要部の斜視図、図２は同灰皿を分離して示す要部の拡大斜視図である。図中、１はパチンコ遊技機Ａの機枠、２は該機枠１の前面に開閉自在に取着される前面枠、３は遊技盤（図示せず。）の上部部分を覆うガラス扉枠、４は遊技盤の下部部分を覆う前板であって、その前面にパチンコ球を１個ずつ打球発射装置（図示せず。）の発射位置へ供給するための打球供給皿５が装着されている。また、前記前面枠２の下部には打球供給皿５から溢れるパチンコ球を貯留する受皿６が装着されている。
【００１６】
前記受皿６は合成樹脂により上面が前方へ向って下傾すると共に両側が曲面になる自由なデザインに形成される。そして、該受皿６の中央よりやや右寄りにパチンコ球を溜める貯留部７が設けられる。また、その一側には灰皿収容凹部８が設けられると共に、該灰皿収容凹部８に灰皿９が収容されている。該灰皿９は、耐熱性樹脂からなる上半体９１と下半体９２とを互いに重合して一体に形成される。そして、上半体９１の上面は受皿６の上面と同一面となるように前方へ向って下傾すると共にその上面に煙草の灰等を受けるための窪部１０が設けられる。また、両側壁９ａ，９ａの前側位置にピン１１，１１が突設されている。
【００１７】
一方、前記灰皿収容凹部８は図２に示すように左・右の側壁部８ａ，８ａと底壁部８ｂとにより前面側が開放した平面コ字型の凹部として形成され、左右の側壁部８ａ，８ａにそれぞれ前記灰皿９両側のピン１１，１１が嵌合するガイド溝１２，１２が設けられる。該各ガイド溝１２，１２は相対向して横長に形成され、その前後端部に前記ピン１１，１１が一担嵌入すると容易に抜け出せない前嵌合凹部１３ａと後嵌合凹部１３ｂがガイド溝１２と連通するようにして形成されている。また、前記灰皿収容凹部８の後端面は前面枠２の裏側と連通するように開口１４されている。
【００１８】
そこで、前記灰皿９は灰皿収容凹部８に収容され、両側のピン１１，１１が前記ガイド溝１２，１２内を摺動することにより前後に移動することとなる。そして、図３に示されるように前記両ピン１１，１１が前嵌合凹部１３ａ，１３ａに嵌合した位置で灰皿９が保持され、窪部１０へ煙草の灰等を受け入れ得る灰皿使用可能状態となる。また、図４に示されるように両ピン１１，１１が後嵌合凹部１３ｂ，１３ｂに嵌合した位置では、灰皿９が開口１４を介して前面枠２の裏側へ隠れ、窪部１０へ煙草の灰等を受け入れない灰皿使用不能状態となる。
【００１９】
また、前記底壁部８ｂはその上面が飲料用容器Ｃを載置するための載置台として使用できるようになっている。このため、底壁部８ｂの上面には飲料用容器Ｃが嵌入し安定して載せられる程度の窪部１５が設けられる。１６は底壁部８ｂの後部に設けられ、前記灰皿９を灰皿使用可能状態と灰皿使用不能状態との位置で保持するためのストッパー片である。該ストッパー片１６は両側及び後側がスリット溝１７により囲われ、上下に撓む弾性が備えられている。そして、後部下面にはストッパー片１６を下方へ撓ませるための指掛部１８が設けられ、後端部上面に灰皿９の前側壁９ｂ又は後側壁９ｃに当接し得る停止爪１９が突設される。
【００２０】
２０は前記前面枠２の裏面に開口１４の裏側全面を囲い塞ぐようにして取り付けられる箱状の収容箱であり、前面が開放して灰皿９が収容できる大きさを有し、灰皿９両側のピン１１，１１が後嵌合凹部１３ｂ，１３ｂに嵌合し灰皿使用不能状態となったとき、灰皿９が収容箱２０内に収まるようになっており、隙間から針金等を差込み遊技盤の裏面に這わせて遊技盤面に装着される入賞装置等を勝手に操作するといった不正行為が防止される。なお、前面枠２がプラスチック製の場合は前記収容箱２０を一体に形成でき、製作が簡単となる。
【００２１】
本発明のパチンコ遊技機Ａは上記構成よりなり、パチンコ遊技機Ａを従来の喫煙者用として使用する場合、図３に示されるように両側のピン１１，１１を前嵌合凹部１３ａ，１３ａに嵌合させる。この際、灰皿９の後側壁９ｃの下端縁に停止爪１９が係合することとなり、該灰皿９がしっかりと保持され、窪部１０へ煙草の灰等を受け入れ得る灰皿使用可能状態となる。また、この状態では灰皿９の上面が受皿６の上面と面一となる。また、窪部１０内に溜った煙草の灰等は灰皿９を図３鎖線に示されるように両ピン１１，１１を中心として前方へ自在に回動させることにより簡単に排出することができるようになっている。
【００２２】
これに対し、パチンコ遊技機Ａを禁煙者用として使用する場合は、図３鎖線で示されるようにストッパー片１６を指掛部１８に指を掛けることにより下方へ撓ませておき、灰皿９を後方へ押して移動させる。これに伴い、両前嵌合凹部１３ａ，１３ａから外れた両ピン１１，１１がガイド溝１２，１２内を後方へ摺動し、後嵌合凹部１３ｂ，１３ｂ内に嵌合する。これにより、灰皿９が前面枠２の裏側に隠れることとなり、この状態で前記ストッパー片１６を元の位置に戻す。これにより停止爪１９が灰皿９の前側壁９ｂに当接すると共に後側壁９ｃの上端縁が庇板２０後端の折曲片２０ａに当接し、灰皿９がしっかりと保持され窪部１０へ煙草の灰等を受け入れない灰皿使用不能状態となる。同時に底壁部８ｂが露呈して図４鎖線に示されるように飲料用容器Ｃをその上面に載置することができるようになる。
【００２３】
この際、底壁部８ｂ上面は受皿６の上面より下方に位置するので、該底壁部８ｂとその上方の打球供給皿５との間のスペースが充分に確保され、飲料用容器Ｃを底壁部８ｂ上面に置き易く、しかも打球供給皿５が邪魔になることもない。また、飲料用容器Ｃはその周囲３方を灰皿収容凹部８で囲われるので転倒しにくく、仮に飲料用容器Ｃの中味が窪部１５内に零れても、該窪部１５に設けられるスリット溝１７から排出され、該窪部１５内の上面に残るようなこともない。
【００２４】
このように、灰皿９を後方へ移動させるのみで灰皿使用可能状態と灰皿使用不能状態とに変換できるようにしたので、灰皿の形状に関係なく受皿６のデザインが自由に設計できる。なお、前記底壁部８ｂは飲料用容器Ｃを載置するものとして形成されているが、他にコインやカードを置くように形成しても良い。また、灰皿使用不能状態では、それを遊技者に知られるため、図４に示されるように前記側壁部８ａ面または図５に示されるように底壁部８ｂ上面にシールやスタンプ等で禁煙マークＭを付すようにしても良く、底壁部８ｂの上面に飲料用容器Ｃが置けることを遊技者に知らせるため図６に示されるようにカップホルダーの文字Ｈを付すようにしても良い。
【００２５】
図７乃至図１０は他の実施の形態を示すものである。この実施の形態では、灰皿収容凹部８は後壁部８ｃと底壁部８ｂと一側壁８ａとで囲われ、他側面に灰皿収容凹部８内に収容される灰皿９がそのまま横に移動して通過し得る大きさの通口２１が形成される。そして、該通口２１を介して受皿６内に前記灰皿９を収納できる収容空間Ｓ1 が設けられる。
【００２６】
前記灰皿９は図７に示されるように耐熱性樹脂からなり、両側壁９ａ，９ａの前側位置に外周縁に沿って円形状の支軸部２２，２２が設けられている。
【００２７】
前記灰皿収容凹部８の一側壁部８ａには灰皿９の一方の支軸部２２が嵌入する軸受部２３が設けられる。また、他方の支軸部２２は前記通口２１の前端縁部２１ａに当接するようになっている。このため該前端縁部２１ａは支軸部２２の円弧面と同一形状をなしている。１６ａは底壁部８ｂに先端部が一部介入するストッパー片であり、両側及び前側がスリット溝１７により囲われ、上下に撓む弾性が備えられている。そして、前端部上面に灰皿９が灰皿収容凹部８内に収容された位置で、該灰皿９の一側壁９ａの下端縁に係合しその移動を止めて保持する停止爪１９が設けられ、下面にはその係合を解くためストッパー片１６ａを下方へ撓ませる指掛部１８が設けられる。
【００２８】
また、前記底壁部８ｂもその上面が飲料用容器Ｃを載置するための載置台として使用できるようになっており、その上面に飲料用容器Ｃが嵌入して載せられる窪部１５が設けられる。該窪部１５内の底壁部８ｂ上面は、スリット溝１７に向って漸次低く傾斜するように形成され、飲料用容器Ｃから零れたジュースなどをスリット溝１７から排出するようになっている。
【００２９】
そこで、図８に示されるように前記灰皿９を灰皿収容凹部８内に収容し、その両側の支軸部２２，２２を軸受部２３と通口２１の前端縁部２１ａとに嵌入，当接する。この際、図９実線で示されるようにストッパー片１６ａの停止爪１９が灰皿９の一側壁９ａ下端縁に係合することとなり、該灰皿９が保持され灰皿使用可能状態となる。また、この状態では窪部１０内に溜った煙草の灰等は灰皿９を図８鎖線に示されるように両支軸部２２，２２を中心として前方へ自在に回動させることにより排出することができる。
【００３０】
これに対し、図９鎖線に示されるようにストッパー片１６ａを指掛部１８に指を掛けることにより下方へ撓ませ停止爪１９の係合を解いておき、灰皿９を図９鎖線に示されるように右側へ押し移動させる。これにより、灰皿９が収容空間Ｓ1 内へ収納され、更に前記ストッパー片１６ａを戻し、灰皿９の他側壁９ａの下端縁に設けられた係合部９ｄに停止爪１９を係合させる。これにより、灰皿使用不能状態となる。同時に図１０に示されるように底壁部８ｂが露呈して飲料用容器Ｃをその上面に載置することができる。
【００３１】
また、この際前記灰皿収容凹部８の側壁部８ａ面または後壁部８ｃ前面にシールスタンプ等で禁煙マークＭを付するようにしても良く、底壁部８ｂ上面にはカップホルダーの文字Ｈを付すようにしても良い。なお、後壁部８ｃについてはマークＭが見易いように後壁部８ｃの前面を後側へ傾斜させるようにしておく。
【００３２】
図１１乃至図１５も他の実施の形態を示すものである。この実施の形態では、灰皿収容凹部８は後壁部８ｃと底壁部８ｂと一側壁部９ａとで囲われ、他側面に灰皿収容凹部８内に収容される灰皿９がそのまま水平面内で回転して通過し得る大きさの通口２４が形成される。そして、該通口２４を介して受皿６内に前記灰皿９を収納できる収容空間Ｓ2 が設けられる。
【００３３】
前記灰皿９は図１１に示されるように耐熱性樹脂からなり、一側壁９ａの後端縁の上下位置に回動軸２５，２５が設けられている。
【００３４】
前記灰皿収容凹部８の他側面、すなわち通口２４の後端内縁に灰皿９の各回動軸２５，２５が嵌入する軸孔２６を有した軸受板２７，２７が設けられている。１６ｂは収容空間Ｓ2内の底壁に設けられたストッパー片であり、両側及び前側がスリット溝１７により囲われ、上下に撓む弾性が備えられている。そして、前端部上面に灰皿９が灰皿収容凹部８内に収容された位置と収容空間Ｓ2 に収容された位置とで、該灰皿９の一側壁９ａ，９ａの下端線に係合してその移動を止め保持する平面Ｌ型の停止爪１９が突設され、下面にはその係合を解くためストッパー片１６を下方へ撓ませる指掛部１８が設けられる。
【００３５】
また、前記底壁部８bもその上面が飲料用容器Ｃを載置するための載置台として使用できるようになっており、その上面に円環状の保持枠２８が設けられる。該保持枠２８内の底壁部８ｂ上面は中央に向かって低くなるように傾斜が設けられ、その中央には通孔２９が開設される。
【００３６】
そこで、前記灰皿９を灰皿収容凹部８内に収容し、図１２，図１３に示されるように一側壁９ａの両回動軸２５，２５を両軸孔２６，２６に回動自在に軸支する。この際、ストッパー片１６ｂの停止爪１９が灰皿９の一側壁９ａの下端縁に係合することとなり、これにより該灰皿９が保持された灰皿使用可能状態となる。
【００３７】
これに対し、図１５に示されるようにストッパー片１６ｂを指掛部１８に指を掛けることによとり下方へ撓ませ停止爪１９の係合を解いておき、灰皿９を図１４に示されるように４左側へ回動させる。これにより、灰皿９が収容空間Ｓ2 内に収容され、更にこの状態で前記ストッパー片１６ｂを戻し灰皿９の一側壁９ａの下端縁に停止爪１９を係合させる。これにより、灰皿使用不能状態となり、同時に底壁部８ｂが露呈して飲料用容器Ｃの載置台として使用できるようになる。
【００３８】
また、この際も前記後壁部８ｃの前面に禁煙マークＭを付すようにしても良く、灰皿９の後側壁９ｃ面に禁煙マークＭを付すようにしても良い。この場合は、灰皿９を収容空間Ｓ2 に収容したとき遊技者に見え易く至便である。更に、底壁部８ｂ上面にカップホルダーの文字Ｈを付すようにしても良い。
【００３９】
上記各他の実施の形態に係るパチンコ遊技機にあっても、灰皿使用不能状態では、灰皿９が受皿６の下側へ突出するようなことがなく、灰皿９の形状に関係なく受皿６のデザインが自由に設計できる。
【００４０】
図１６，図１７は、灰皿使用不能状態とするに受皿６から灰皿９を取り外すようにした実施の形態を示すものである。このため、図１６に示されるように灰皿収容凹部８は両側壁部８ａ，８ａ，後壁部８ｃ及び底壁部８ｂにより囲われ、両側壁部８ａ，８ａの前側に軸ピン３０，３０が突設される。一方、灰皿９には両側壁９ａ，９ａに前記各軸ピン３０，３０が嵌入する嵌入溝３１，３１が設けられる。該各嵌入溝３１，３１は前端に前記軸ピン３０，３０が一担嵌入すると容易に抜け出せない嵌合凹部３１ａ，３１ａが設けられ、後端は後側縁に達ししかも開放されている。
【００４１】
そこで、前記灰皿９は両軸ピン３０，３０を両嵌入溝３１，３１にその後端から嵌入し、パチンコ遊技機Ａの前側から軸ピン３０，３０が両嵌合凹部３１ａ，３１ａに嵌入するまで後方へ押し込むようにして灰皿収容凹部８に収容する。これにより灰皿使用可能状態となる。
【００４２】
前面枠２の裏面には灰皿９を収容できるように上面が開口したポケット箱３２が取り付けられている。そこで、前記灰皿９を灰皿収容凹部８から前側へ引き出し取り外すことにより図１７に示されるように灰皿使用不能状態となる。そして、取り外された灰皿９は図１７に示されるように前記ポケット箱３２内に収容しておく。このように、前述のような移動手段の外に、取り外すようにしても良い。なお、前記各実施の形態と同一部位は同じ番号を付することにより説明は省略する。
【００４３】
【発明の効果】
本発明に係る遊技機は上記構成よりなるものであり、次のような効果を有する。
▲１▼灰皿部を移動して灰皿使用不能状態とした場合、底壁部が受皿の上面より下方に位置することから、打球供給皿との間に充分なスペースが確保でき、しかも底壁部の周囲３方向は灰皿収容凹部に囲われるので、底壁部上面に飲料用容器が置き易いと共に不潔感を遊技者に与えることもなく、また不用意に飲料用容器に触れても灰皿収容部に保持されて、転倒しにくくなるという効果を有する。
▲２▼また、底壁部上面に飲料用容器を載置しても、打球供給皿が邪魔になることがないので、該打球供給皿の外観形状に制約が加えられることがなく、自由なデザイン設計が行なえる。
▲３▼更に、灰皿は受皿の下面から下方へ突出するようなことがないので、受皿の下に支障なく球箱を載置することができる。
▲４▼更にまた、灰皿使用不能状態とし、水平面内で移動させるようにした場合、従来の如く灰皿を回転させる必要がないことから、受皿の外観形状に制約が加えられることがなく自由なデザイン設計が行なえる。
【図面の簡単な説明】
【図１】本発明が適用されるパチンコ遊技機の要部の斜視図。
【図２】同灰皿を分離して示す要部の拡大斜視図。
【図３】同灰皿使用可能状態を示す要部の側面断面図。
【図４】同灰皿使用不能状態を示す要部の側面断面図。
【図５】同灰皿収容凹部の平面断面図。
【図６】同灰皿収容凹部の平面断面図。
【図７】他の実施の形態に係るパチンコ遊技機であって、灰皿を分離して示す要部の拡大斜視図。
【図８】同灰皿使用可能状態を示す要部の側面断面図。
【図９】同灰皿使用可能状態を示す要部の正面断面図。
【図１０】同灰皿使用不能状態を示す要部の平面断面図。
【図１１】他の実施の形態に係るパチンコ遊技機であって、灰皿を分離して示す要部の拡大斜視図。
【図１２】同灰皿使用可能状態を示す要部の側面断面図。
【図１３】同灰皿使用可能状態を示す要部の平面断面図。
【図１４】同灰皿使用不能状態を示す要部の平面断面図。
【図１５】図１４のＸ−Ｘ線断面図。
【図１６】他の実施の形態に係るパチンコ遊技機であって、灰皿を分離して示す要部の拡大斜視図。
【図１７】同灰皿使用不能状態を示す要部の側面断面図。
【符号の説明】
６          受皿
８          灰皿収容凹部
９          灰皿
１０        窪部
Ａ          パチンコ遊技機
【図１】
0003935240.tif 000002
【図２】
0003935240.tif 000003
【図３】
0003935240.tif 000004
【図４】
0003935240.tif 000005
【図５】
0003935240.tif 000006
【図６】
0003935240.tif 000007
【図７】
0003935240.tif 000008
【図８】
0003935240.tif 000009
【図９】
0003935240.tif 000010
【図１０】
0003935240.tif 000011
【図１１】
0003935240.tif 000012
【図１２】
0003935240.tif 000013
【図１３】
0003935240.tif 000014
【図１４】
0003935240.tif 000015
【図１５】
0003935240.tif 000016
【図１６】
0003935240.tif 000017
【図１７】
0003935240.tif 000018